(57)【特許請求の範囲】
【請求項１】
ディスプレイと、第１の側面及び第２の側面とを有する略平面の第１のパネルと、
第１のインタフェースを有し、上記第１のパネルの第１の側面にヒンジによって連結された略平面の第２のパネルと、
第２のインタフェースを有し、上記第１のパネルの第２の側面にヒンジによって連結された略平面の第３のパネルとを備え、
第１の状態のとき、上記第１のインタフェース及び上記第２のインタフェースは、隠れ、上記ディスプレイは、上記第２のパネルと上記第３のパネルの間に形成される間隙から部分的に露出して表示し、
第２の状態のとき、上記第１のインタフェース及び上記第２のインタフェースは、露出し、上記ディスプレイは、完全に露出することを特徴とする電子装置。
【請求項２】
上記第１の状態のとき、上記第１のインタフェース及び上記第２のインタフェースによって、上記ディスプレイを制御することはできず、
上記第２の状態のとき、上記第１のインタフェースのみ、上記第２のインタフェースのみ、又は該第１のインタフェースと該第２のインタフェースの両方によって、当該電子装置を選択的に制御することができることを特徴とする請求項１記載の電子装置。
【請求項３】
上記第１及び第２のインタフェースのうちの少なくとも１つにおいて生成されたエントリが上記ディスプレイに表示されることを特徴とする請求項１記載の電子装置。
【請求項４】
第３のインタフェースを更に備え、
上記第２の状態のとき、上記第１、第２及び第３のインタフェースのうちの１つ、２つ又は全てによって、上記ディスプレイが制御されることを特徴とする請求項１記載の電子装置。
【請求項５】
上記第１の状態のとき、第１のモードで動作し、
上記第２の状態のとき、第２のモードで動作することを特徴とする請求項１記載の電子装置。
【請求項６】
上記第１のパネルは、上記第２のパネル及び上記第３のパネルに、電子データを交換可能に連結されていることを特徴とする請求項１記載の電子装置。
【請求項７】
当該電子装置を独立したゲーム装置、スピーカ、携帯電話機、携帯電話用ヘッドセット、デジタルカメラ、携帯情報端末、ジョイスティック、コンピュータに接続するための外部コネクタを、上記第１のパネルの第３の側面に更に備える請求項１記載の電子装置。
【請求項８】
第３のインタフェースを更に備える請求項１記載の電子装置。
【請求項９】
上記第３のインタフェースは、上記第２のパネルの背面、上記第１のパネルの第３の側面及び該第１のパネルの正面のうちの１つに配設されていることを特徴とする請求項８記載の電子装置。
【請求項１０】
上記第３のインタフェースは、音楽再生インタフェースであることを特徴とする請求項８記載の電子装置。
【請求項１１】
上記第１のパネルの第３の側面に配設されたインタフェースを更に備え、
上記インタフェースは、音楽再生インタフェース、ゲームカートリッジ、電源アダプタコネクタ及び外部コネクタのうちの１つであることを特徴とする請求項１記載の電子装置。
【請求項１２】
上記第１のモードは、音楽再生モード及び携帯電話モードのうちの１つであり、上記第２のモードは、音楽再生モード、携帯電話モード、ゲームモード、データ入力モード及びウェブサーフィンモードのうちの１つであることを特徴とする請求項５記載の電子装置。
【請求項１３】
上記第１のインタフェースの種類は、ゲームインタフェース、キーボード、ファンクション付キーボード、ＱＷＥＲＴＹ配列キーボードのうちの１つであることを特徴とする請求項１記載の電子装置。
【請求項１４】
上記第２のインタフェースの種類は、上記第１のインタフェースの種類とは異なることを特徴とする請求項１記載の電子装置。
【請求項１５】
上記第３のインタフェースは、音楽再生インタフェースであり、
上記第１の状態のとき、上記音楽再生インタフェースは、上記ディスプレイを制御し、
上記第２の状態のとき、上記第１のインタフェース、上記第２のインタフェース、又は該第１のインタフェースと該第２のインタフェースの両方は、上記ディスプレイを制御することを特徴とする請求項８記載の電子装置。
【請求項１６】
上記第１の状態と上記第２の状態の両方において、上記第３のインタフェースは、露出していることを特徴とする請求項８記載の電子装置。
【請求項１７】
ディスプレイと、第１の側面、第２の側面及び第３の側面とを有する略平面の第１のパネルと、
第１のインタフェースを有し、上記第１のパネルの第１の側面にヒンジによって連結された略平面の第２のパネルと、
第２のインタフェースを有し、上記第１のパネルの第２の側面にヒンジによって連結された略平面の第３のパネルと、
上記第１のパネルの第３の側面に配設された第３のインタフェースとを備え、
上記第３のインタフェースは、音楽再生インタフェース、ゲームカートリッジ、電源アダプタコネクタ及び外部コネクタのうちの１つであり、
上記外部コネクタは、独立したゲーム装置、スピーカ、携帯電話機、携帯電話用ヘッドセット、デジタルカメラ、携帯情報端末、ジョイスティック及びコンピュータのうちの１つにインタフェースし、
第１の状態のとき、上記第１のインタフェース及び上記第２のインタフェースは、隠れ、上記ディスプレイは、上記第２のパネルと上記第３のパネルの間に形成される間隙から部分的に露出して表示し、
第２の状態のとき、上記第１のインタフェース及び上記第２のインタフェースは、露出し、上記ディスプレイは、完全に露出することを特徴とする電子装置。
【発明の詳細な説明】
【技術分野】
【０００１】
本発明は、個人的な娯楽のための電子通信装置に関する。
【背景技術】
【０００２】
個人用娯楽装置（Personal Entertainment Devices：以下、ＰＥＤという。）で余暇を楽しむモバイルユーザが増えている。ＰＥＤは、音楽ファイルから再生される音楽を聴いたり、ゲームシステムとインタラクトしたり、単体のテレビゲームで遊んだりすることにおいて特に便利である。しかしながら、従来のＰＥＤは、表示装置、コントローラ、インタフェースを設置するのにスペースが必要な上、単体の小型装置に複数の娯楽機能を搭載することはできず、嵩張り、扱いが煩雑で大きすぎるという問題がある。その大きさに加えて、従来のＰＥＤは、ＰＥＤ本体を汚れ、泥、埃、外観の傷等から保護するための重い保護カバーを備えている。
【発明の開示】
【発明が解決しようとする課題】
【０００３】
そこで、複数の娯楽機能を搭載した、ユーザに優しい個人用娯楽装置が求められている。すなわち、本発明の目的は、複数の機能を搭載した、より小型なＰＥＤを提供することである。
【課題を解決するための手段】
【０００４】
従来の技術の課題を解決するために、本発明は、所定のパネルの開閉によって、複数の娯楽要素にアクセスでき、並びに機器を保護するためにカバーできる電子装置を提供する。この所定のパネルは、電子装置のフラップ（flap）でもある。電子装置がフラップを開いた第１の状態のとき、このフラップに配設されたインタフェースにアクセスすることができる。電子装置がフラップを閉じる第２の状態のときは、このフラップに配設されたインタフェースにはアクセスすることができない。
【０００５】
本発明の実施の形態として示す電子装置は、ディスプレイを含む略平面の第１のパネルと、第２のパネルと、第３のパネルとを備える。第１のパネルは、第１及び第２の側面を備える。第２のパネルは、第１のインタフェースを備えており、第１のパネルの第１の側面にヒンジによって（hingedly）連結されている。第３のパネルは、第２のインタフェースを備えており、第１のパネルの第２の側面にヒンジによって連結されている。第１の状態のとき、第１及び第２のインタフェースは、隠れ、第２の状態のとき、第１及び第２のインタフェースは、露出する。一実施の形態においては、電子装置が第１の状態にあるとき、ディスプレイは、第２のパネルと第３のパネルとの間に形成される間隙を介して見ることができ、第２の状態にあるとき、ディスプレイは、完全に露出する。或いは、電子装置が第１の状態のとき、ディスプレイは、隠れ、第２の状態のとき、ディスプレイは、露出する。電子装置は、ゲーム機、携帯情報端末（ＰＤＡ）、通信機器、ＭＰ３ファイルを含むオーディオファイル及びオーディオビジュアルファイルを再生する音楽再生装置のいずれであってもよい。
【０００６】
本発明の他の実施の形態では、電子機器は、第１の状態のとき、第１のモードで動作し、第２の状態のとき、第２のモードで動作する。略平面の第１のパネルは、第２のパネル及び第３のパネルに、電子データを交換可能に連結してもよい。
【０００７】
更に他の実施の形態においては、電子装置は、手に持って操作できる大きさの携帯型機器である。電子装置は、好ましくは、娯楽装置である。これに代えて、電子装置は、音楽再生装置であってもよい。
【０００８】
他の実施の形態として、電子機器は、第３のインタフェースを更に備えていてもよい。好ましくは、第３のインタフェースは、例えば、ＭＰ３音楽ファイル等を再生するための音楽再生インタフェースであり、これにより、フラップが閉じられ、電子装置が第１の状態あるときでも、電子装置は、音楽を再生することができる。また、好ましくは、第３のインタフェースは、第１のインタフェースとは反対側の面に設けられる。ディスプレイの一部は、第１の状態において、第２のパネルと第３のパネルの間に形成される間隙から部分的に露出され、ユーザに見えるようにしてもよい。更に他の実施の形態として、電子装置は、他の機器に接続するためのコネクタを備えていてもよい。このコネクタは、電子装置の略平面の第１のパネルの第３の側面に配設してもよい。更に他の実施の形態として、略平面の第１のパネルの第３の側面に第３のインタフェースを配設してもよい。電子装置は、ゲームプレーヤ、携帯情報端末（personal digital assistant：ＰＤＡ）、通信装置、又はＭＰ３及びＭＰＥＧファイルを含むオーディオファイル及びオーディオビジュアルファイルを再生できる音楽再生装置であってもよい。好ましい実施の形態では、第３のインタフェースは、電子機器が第１の状態のとき、ディスプレイを制御する。
【０００９】
他の実施の形態においては、電子機器が第１の状態のとき、第１のインタフェース及び第２のインタフェースによってディスプレイを制御することはできず、電子機器が第２の状態のとき、第１のインタフェースのみ、第２のインタフェースのみ、又は第１及び第２のインタフェースの両方によって、電子装置を制御できるようにしてもよい。これに代えて、第２の状態のとき、第１のインタフェースにおいて生成されたエントリがディスプレイに表示されるようにしてもよい。或いは、第２の状態のとき、第２のインタフェースにおいて生成されたエントリがディスプレイに表示されるようにしてもよい。或いは、第２の状態のとき、第１のインタフェース及び第２のインタフェースにおいて生成されたエントリがディスプレイに表示されるようにしてもよい。電子装置は、ゲームプレーヤ、携帯情報端末（ＰＤＡ）、通信装置及びＭＰ３ファイルを含むデジタルファイルを再生できる音楽再生装置のいずであってもよい。
【発明を実施するための最良の形態】
【００１０】
本発明は、より小型化され、保護機能に優れ、占有面積が小さい便利な個人用娯楽装置（Personal Entertainment Devices：以下、ＰＥＤという。）を提供する。本発明に基づく電子装置には、予め保護カバーが組み込まれており、本発明によって、単純な一回の動作で同時に複数の娯楽インタフェースにアクセスすることができる。更に、本発明は、携帯性とユーザフレンドリーなレイアウトを犠牲にすることなく、上述したような利点を提供する。
【００１１】
具体的には、従来のＰＥＤの大きさの問題を解決するために、本発明は、略平面の第１のパネルと、略平面の第２のパネルと、略平面の第３のパネルとを備える。第１の略平面なパネルは、ディスプレイと、第１及び第２の側面とを備える。第２のパネルは、第１のインタフェースを備えており、略平面の第１のパネルの第１の側面にヒンジによって（hingedly）連結されている。第３のパネルは、第２のインタフェースを備えており、略平面の第１のパネルの第２の側面にヒンジによって連結されている。
【００１２】
電子装置には、２つの状態（position）がある。第１の状態（閉状態）では、第２及び第３のパネルが第１のパネルの上に折り畳まれ、電子装置の占有面積が縮小される。第１の状態では、電子装置は、より小型で携帯しやすい。第１の状態では、第１のインタフェース及び第２のインタフェースが隠れ、その結果、汚れ、埃、傷等の潜在的な危険から保護される。好ましくは、第１のインタフェースは、第２のパネルの正面に配設され、第２のインタフェースは、第３のインタフェースの正面に配設されている。第１の状態では、第１のインタフェース及び第２のインタフェースは、隠れ、アクセスもできなくなる。一方、第２の状態（開状態）では、第２のパネル及び第３のパネルは、ヒンジを支点に第１のパネルから開かれる。第２の状態では、第１のインタフェース及び第２のインタフェースは、露出し、アクセスできるようになる。好ましい実施の形態では、電子装置が第２の状態のとき、第１のインタフェース及び第２のインタフェースは、同時にアクセスでき、これらを用いてディスプレイを制御することができる。
【００１３】
本発明の好ましい実施の形態においては、第１の状態では、電子装置は、音楽再生装置として動作する。なお、電子装置は、第１の状態では、ゲーム、通信装置、ＰＤＡ、ウェブブラウザ等、如何なる電子機器として動作するものであってもよい。好ましい実施の形態においては、第２のパネルの第１のインタフェースの反対面には、第３のインタフェースが配設されている。第３のインタフェースは、好ましくは、ＭＰ３音楽ファイル等のための音楽再生インタフェースとして機能し、これにより、電子装置のフラップが閉じた第１の状態でも、音楽を再生することができる。
【００１４】
図１Ａ、図１Ｂ及び図１Ｃは、第１の状態における電子装置１００を示している。電子装置１００は、手に持って操作できる大きさの携帯型機器である。一実施の形態では、電子装置１００は、娯楽装置である。電子装置１００が第１の状態にあるとき、略平面の第１のパネル１３０に配設されたディスプレイ１２０は、電子装置１００の略平面の第２のパネル１４０と略平面の第３のパネル１５０との間に形成される間隙を介して見ることができる。電子装置１００、１００’の状態は、電子装置１００、１００’のモードに対応する。好ましい実施の形態においては、音楽再生インタフェースを有する電子装置１００、１００’が第１の状態（閉状態）のとき、電子装置１００、１００’は、第１のモードにあり、このモードは、音楽再生モードとも呼ばれる（図１Ａ、図１Ｂ及び図１Ｃ）。好ましい実施の形態においては、電子装置１００、１００’が第２の状態（開状態）のとき、電子装置１００、１００’は、第２のモードにある（図２Ａ及び図２Ｂ）。電子装置１００、１００’は、自らが第１の状態にあるか、第２の状態にあるかを検出する。一実施の形態においては、電子装置１００、１００’の第１のパネル１３０は、第２のパネル１４０及び第３のパネル１５０に動作可能に連結（operatively coupled）し、これによって、電子データを交換することができる。
【００１５】
図１Ａ、図１Ｂ及び図１Ｃに示すように、電子装置１００、１００’が第１の状態のとき、好ましい実施の形態においては、電子装置１００は、音楽ビデオファイルを再生でき、すなわち、リアルタイムで、ディスプレイ１２０上にビデオセグメントを再生しながら、音声が出力される。電子装置１００、１００’は、好ましくは、音楽再生装置である。電子装置１００、１００’は、ディスプレイ１２０の電源がオフの状態でもオーディオファイルを再生できる。本発明の好ましい実施の形態においては、電子装置１００、１００’が第１の状態のとき、ディスプレイ１２０は、第２のパネル１４０と第３のパネル１５０の間に形成される間隙から部分的に露出する。或いは、電子装置１００、１００’が第１の状態のとき、ディスプレイ１２０が完全に隠れるような構成にしてもよい。
【００１６】
図１Ａに示す好ましい実施の形態においては、第３のインタフェースとして、第２のパネル１４０の背面に音楽再生インタフェース１１０を配設してもよい。好ましくは、音楽再生インタフェース１１０は、第１のインタフェースの反対面（図示せず）に配設される。電子装置１００が第１の状態のとき、ディスプレイ１２０及び電子装置１００は、音楽再生インタフェース１１０によって制御される（図１Ａ、図１Ｂ、図１Ｃ）。図１Ａに示すように、電子装置１００が第１の状態のとき、音楽再生インタフェース１１０は露出する。或いは、図１Ｂに示すように、略平面の第１のパネル１３０の側面に、音楽再生インタフェース１１０’を配設してもよい。更に他の実施の形態として、略平面の第１のパネル１３０の正面に音楽再生インタフェース１１０”を配設してもよい（図１Ｃ）。図１Ｃに示すように、この他の実施の形態では、音楽再生インタフェース１１０”は、略平面の第１のパネル１３０の正面に配設されたディスプレイ１２０の下方に配設されている。
【００１７】
図２Ａ及び図２Ｂは、第２の状態における、電子装置１００’のそれぞれ側面図及び平面図である。上述した通り、第２のパネル１４０’と第３のパネル１５０’の両方が開き、第２のパネル１４０’と第３のパネル１５０’の両方にアクセスできるので、第２の状態は、開状態である。図２Ａに示すように、電子装置１００’が第２の状態のとき、第２のパネル１４０’及び第３のパネル１５０’は、ヒンジを支点に第１のパネル１３０’から開かれる。したがって、図２Ｂに示すように、第１のインタフェース１１５及び第２のインタフェース１２５は、第２のパネル１４０’及び第３のパネル１５０’の正面に配設されているので、電子装置１００’が第２の状態のとき、第１のインタフェース１１５及び第２のインタフェース１２５にアクセスすることができる。電子装置１００’が第２の状態のとき、第１のインタフェース１１５のみ、第２のインタフェース１２５のみ、又は第１及び第２のインタフェース１１５、１２５の両方によって、電子装置１００’を制御することができる。更に、電子装置１００’が第２の状態のとき、略平面の第１のパネル１３０’のディスプレイ１２０’は、露出する。
【００１８】
図２Ａ及び図２Ｂに示すように、電子装置１００’が第２の状態のとき、第１のインタフェース１１５において生成されたエントリがディスプレイ１２０’に表示される。エントリには、後述するように、数字キーパッド又は英数字キーパッドに対するキーストローク、ジョイスティックの動き、タッチパネル上の動き、スクロールバーの動き等が含まれる。或いは、第２の状態のとき、第２のインタフェース１２５において生成されたエントリが、ディスプレイ１２０’に表示される。更に他の実施の形態として、第１及び第２のインタフェース１１５、１２５の両方又はいずれか一方において生成されたエントリを、ディスプレイ１２０’に表示してもよい。
【００１９】
図２Ａ（側面図）及び２Ｂ（平面図）に示すように、第２のパネル１４０’は、第１のヒンジ継手（hinged coupler）１７５を介して、略平面の第１のパネル１３０’の第１の側面１４５、１４５’に連結されている。同様に、第３のパネル１５０’は、第２の第１のヒンジ継手１８５を介して、略平面の第１のパネル１３０’の第２の側面１５５、１５５’に連結されている。第１のヒンジ継手１７５及び第２のヒンジ継手１８５によって、第２のパネル１４０’及び第３のパネル１５０’は、それぞれ電子装置１００’に対して開閉することができる。上述したように、電子装置１００’が第２の状態のとき、第２パネル１４０’と第３のパネル１５０’の両方の正面にアクセスすることができる（図２Ａ及び図２Ｂ）。第２の状態のときには、第２のパネル１４０’及び第３のパネル１５０’の正面にアクセスすることができるとともに、第１のインタフェース１１５及び第２のインタフェース１２５にもアクセスすることができる。一実施の形態において、音楽再生インタフェース１１０”が略平面の第１のパネル１３０’に配設されている場合、電子装置１００”が第２の状態のとき、音楽再生インタフェース１１０”にもアクセスすることができる（図３Ａ）。
【００２０】
図２Ａ及び図２Ｂに示すように、電子装置１００’の第２のパネル１４０’及び第３のパネル１５０’は、第２の状態（開状態）のときに出現する異なる種類の複数のインタフェースを有することができる。例えば、図３Ａに示す一実施の形態においては、電子装置１００’は、第２の状態のとき、第１のゲームインタフェース２１０と、第２のゲームインタフェース２２０とを備える娯楽装置であってもよい。娯楽装置の場合、手に持って操作できる大きさの携帯型機器であることが好ましい。図３Ａに示すように、第２のパネル１４０’の正面には、第１のゲームインタフェース２１０が配設され、第３のパネル１５０’の正面には、第２のゲームインタフェース２２０が配設されている。電子装置１００’が第２の状態のときは、第１のゲームインタフェース２１０、第２のゲームインタフェース２２０及びディスプレイ１２０’にアクセスすることができる。図３Ａに示すように、音楽再生インタフェース１１０”が略平面の第１のパネル１３０’に配設されている場合、電子装置１００’が第２の状態のとき、音楽再生インタフェース１１０”にアクセスすることができる。或いは、音楽再生インタフェース１１０’は、略平面の第１のパネル１３０の側面に、第３のインタフェースとして配設される（図１Ｂ）。好ましくは、音楽再生インタフェース１１０は、第１のインタフェースの反対面（図示せず）である、第２のパネルの背面に配設される（図１Ａ）。
【００２１】
上述の通り、図３Ａに示すように、第２のパネル１４０’は、第１のヒンジ継手１７５を介して、略平面の第１のパネル１３０’の第１の側面１４５’に連結されている。第３のパネル１５０’は、第２のヒンジ継手１８５を介して、略平面の第１のパネル１３０’の第２の側面１５５’に連結されている。図３Ａに示す実施の形態を、ゲーム機構成と呼ぶ。好ましくは、第１のパネル１３０’は、第２のパネル１４０’及び第３のパネルに動作可能に連結（operatively coupled）し、これによって、電子データを交換することができる。電子装置１００’が第２の状態にあり、第１のゲームインタフェース２１０及び第２のゲームインタフェース２２０にアクセス可能なとき、本実施の形態において、第２のモードをゲームモードと呼ぶ。したがって、電子装置１００、１００’が第１の状態（図１Ａ、図１Ｂ及び図１Ｃ）から第２の状態（図３Ａ）に変化すると、電子装置１００、１００’は、第１のモード（図１Ａ、図１Ｂ及び図１Ｃに示す音楽再生モード）から第２のモード（図３Ａに示すゲームモード）に切り換わる。好ましい実施の形態において、電子装置１００、１００’が音楽再生インタフェース１１０、１１０’、１１０”を備えていれば、第１の状態（図１Ａ、図１Ｂ及び図１Ｃ）のとき、電子装置１００、１００’は、音楽再生インタフェース１１０、１１０’、１１０”によって制御することができる。好ましい実施の形態においては、電子装置１００、１００’が第２の状態（図３Ａ）のとき、第１のゲームインタフェース２１０のみ、第２のゲームインタフェース２２０のみ、又は第１のゲームインタフェース２１０と第２のゲームインタフェース２２０の両方によって、電子装置１００、１００’を制御することができる。
【００２２】
ゲーム機構成の他の実施の形態として、電子装置１００、１００’が第１の状態（図１Ａ、図１Ｂ及び図１Ｃ）のとき、音楽再生インタフェース１１０、１１０’１１０”によって生成されたエントリがディスプレイ１２０、１２０’に表示され、電子装置１００、１００”が第２の状態（図３Ａ）のとき、第１のゲームインタフェース２１０に生成よってされたエントリがディスプレイ１２０、１２０’に表示される。更にゲーム機構成の他の実施の形態として、電子装置１００、１００’が第１の状態（図１Ａ、図１Ｂ及び図１Ｃ）のとき、音楽再生インタフェース１１０、１１０’、１１０”によって生成されたエントリがディスプレイ１２０、１２０’に表示され、電子装置１００、１００’が第２の状態（図３Ａ）のとき、第２のゲームインタフェース２２０によって生成されたエントリがディスプレイ１２０、１２０’に表示される。
【００２３】
好ましい実施の形態においては、電子装置１００、１００’が第１の状態（図１Ａ、図１Ｂ及び図１Ｃ）のとき、音楽再生インタフェース１１０、１１０’、１１０”によって生成されたエントリがディスプレイ１２０、１２０’に表示され、電子装置１００、１００’が第２の状態（図３Ａ）のとき、第１のゲームインタフェース２１０及び第２のゲームインタフェース２２０によって生成されたエントリがディスプレイ１２０、１２０’に表示される。ゲーム機構成の好ましい実施の形態として、電子装置１００、１００’が第１の状態（図１Ａ、図１Ｂ及び図１Ｃ）のとき、ディスプレイ１２０、１２０’は、第２のパネル１４０と第３のパネル１５０の間に形成される間隙から部分的に露出し、電子装置１００、１００’が第２の状態（図３Ａ）のとき、ディスプレイ１２０、１２０’は、完全に露出する。或いは、電子装置１００、１００’が第１の状態のとき、ディスプレイ１２０、１２０’は、完全に隠れ、電子装置１００、１００’が第２の状態のとき、ディスプレイ１２０、１２０’は、露出するようにしてもよい。
【００２４】
図３Ｂに示す本発明の実施の形態では、電子装置１００’は、第１のキーボード１６０と、第２のキーボード１８０とを備える。この構成を携帯情報端末（personal digital assistant：以下、ＰＤＡという。）構成と呼ぶ。図３Ｂに示すように、電子装置１００’が第２の状態で、第１のキーボード１６０及び第２のキーボード１８０にアクセス可能なとき、本実施の形態における第２のモードをデータ入力モードと呼ぶ。したがって、電子装置１００、１００’が第１の状態（図１Ａ、図１Ｂ、図１Ｃ）から第２の状態（図３Ｂ）に変化すると、電子装置１００、１００’は、第１のモード（図１Ａ、図１Ｂ及び図１Ｃに示す音楽再生モード）から第２のモード（図３Ｂに示すデータ入力モード）に切り換わる。或いは、ＰＤＡ構成では、第１のキーボード１６０及び第２のキーボード１８０を用いて、ディスプレイ１２０上に表示されるゲームを制御したり、又は電子装置１００に接続されたゲーム機を制御したりする場合、第２のモードは、ＰＤＡゲームプレイモードと呼ぶこともできる。或いは、電子装置１００がインターネット接続のためのハブ又はネットワークに接続されている場合、第２のモードをウェブサーフィンモードと呼んでもよい。ウェブサーフィンモードでは、第１のキーボード１６０及び第２のキーボード１８０を用いて、ディスプレイ１２０’に表示されるワールドワイドウェブを閲覧することができる。
【００２５】
図３Ｂに示すように、この場合、第２のパネル１４０と第３のパネル１５０の両方の正面、及びディスプレイ１２０にアクセスすることができる。この実施の形態では、第２のパネル１４０’の正面には、第１のキーボード１６０を更に設け、好ましくは、ファンクションキー１７０を設ける。更に、第３のパネル１５０’の正面には、第２のキーボード１８０を設け、好ましくは、コントロールボタン２０５を設ける。好ましくは、第１のキーボード１６０及び第２のキーボード１８０に全てのアルファベットキーを配設してもよい。或いは、第１のキーボード１６０及び第２のキーボード１８０は、ＱＷＥＲＴＹ配列のキーボードのそれぞれ片半分であってもよい。或いは、第１のキーボード１６０がカーソルコントロールキーパッドであり、第２のキーボード１８０がＱＷＥＲＴＹ配列のキーボードであってもよい。
【００２６】
図３Ｂに示すように、ゲーム機構成と同様に、ＰＤＡ構成の場合も、電子装置１００’は、第１のヒンジ継手１７５を介して、略平面の第１のパネル１３０’の第１の側面１４５’に連結された第２のパネル１４０’を備える。同様に、第３のパネル１５０’は、第２のヒンジ継手１８５を介して、略平面の第１のパネル１３０’の第２の側面１５５’に連結されている。図３Ｂに示す電子装置１００’において、図１Ｃに示すように、略平面の第１のパネル１３０’の正面に音楽再生インタフェース１１０”を配設してもよい。或いは、音楽再生インタフェース１１０’は、第３のインタフェースとして、略平面の第１のパネルの側面に配設してもよい（図１Ｂ）。或いは、音楽再生インタフェース１１０’は、第２のパネル１４０の背面に配設してもよい（図１Ａ）。
【００２７】
ＰＤＡの一実施の形態においては、電子装置１００、１００’が第１の状態（図１Ａ、１Ｂ、１Ｃ）にあるとき、ディスプレイ１２０、１２０’は、略平面の第２のパネル１４０と略平面の第３のパネル１５０との間に形成される間隙を介して見ることができ、電子装置１００、１００’が第２の状態（図３Ｂ）のとき、ディスプレイ１２０、１２０’は、完全に露出する。或いは、電子装置１００、１００’が第１の状態のとき、ディスプレイ１２０、１２０’は、完全に隠れ、電子装置１００、１００’が第２の状態のとき、ディスプレイ１２０、１２０’は、露出する。本発明の更なる他の実施の形態として、電子装置１００、１００’は、第１の状態（図１Ａ、１Ｂ、１Ｃ）のとき、音楽再生インタフェース１１０、１１０’、１１０”によって制御され、第２の状態（図３Ａ）のとき、第１のキーボード１６０のみ、第２のキーボード１８０のみ、又は第１のキーボード１６０と第２のキーボード１８０の両方によって、制御可能である。
【００２８】
ＰＤＡの一実施の形態においては、第１の状態（図１Ａ、１Ｂ、１Ｃ）のとき、音楽再生インタフェース１１０、１１０’、１１０”において生成されたエントリがディスプレイ１２０、１２０’に表示され、電子装置１００、１００’が第２の状態（図３Ａ）のとき、第１のキーボード１６０において生成されたエントリがディスプレイ１２０、１２０’に表示される。或いは、電子装置１００、１００’が第１の状態（図１Ａ、１Ｂ、１Ｃ）のとき、音楽再生インタフェース１１０、１１０’、１１０”において生成されたエントリがディスプレイ１２０、１２０’に表示され、電子装置１００、１００’が第２の状態（図３Ａ）のとき、第２のキーボード１８０において生成されたエントリがディスプレイ１２０、１２０’に表示される。好ましくは、第１の状態（図１Ａ、１Ｂ、１Ｃ）のとき、音楽再生インタフェース１１０、１１０’、１１０”において生成されたエントリがディスプレイ１２０、１２０’に表示され、電子装置１００、１００’が第２の状態（図３Ａ）のとき、第１のキーボード１６０と第２のキーボード１８０の両方において生成されたエントリがディスプレイ１２０、１２０’に表示される。
【００２９】
図４Ａ及び図４Ｂは、第２の状態（開状態）における、電子装置１００’を第３の側面３１０を正面とした場合の背面図である。図４Ａ及び図４Ｂに示すように、電子装置１００’は、ゲームモード（図３Ａ）又はＰＤＡ（図３Ｂ）のどちらであってもよい。図４Ａ及び図４Ｂには、図２Ｂに示す第２の状態の電子装置１００’と同様の多くの要素を示している。図４Ａ及び図４Ｂに示すように、電子装置１００’が第２の状態のとき、略平面の第１のパネル１３０’にアクセスすることができる。また、第２のパネル１４０’は、略平面の第１のパネル１３０の第１の側面にヒンジによって連結されており、第３のパネル１５０’は、略平面の第１のパネル１３０の’第２の側面１５５’にヒンジによって連結されている。図４Ａに示すように、電子装置１００’の第３の側面３１０には、電子装置１００’を電気的、機械的又は光学的に他の機器に接続するためのコネクタ３２０が配設されている。電子装置１００’は、娯楽装置、独立したゲーム装置、スピーカ、携帯電話機、携帯電話用ヘッドセット、デジタルカメラ、携帯情報端末、ジョイスティック、コンピュータ、電子メール装置等として機能してもよい。更に、電子装置１００’は、携帯電話ネットワークに接続されたハブ又はネットワークへの有線接続又は無線接続を有する通信装置であってもよい。電子装置１００’が通信装置として使用される場合、第３の側面３１０に配設されたコネクタ３２０を介して、電子装置１００’に携帯電話用ヘッドセットを接続してもよい。
【００３０】
更に、図４Ａに示すように、第３の側面３１０にアダプタジャック３３０を設けてもよい。アダプタジャック３３０には、追加的な電源である電源アダプタを接続することができる。電子装置１００’は、更に、電池を差し込むためのバッテリパネル３２５を備えていてもよい。バッテリパネル３２５は、略平面の第１のパネル１３０’（図４Ａ）の背面側に配設することが好ましい。また、第３の側面３１０は、電子装置１００’でゲームを楽しむために、独立したゲーム装置と接続するための、又は電子装置１００’にテレビゲームカートリッジを挿入するためのスロット３１５を備えていてもよい。このスロット３１５により、電子装置１００は、独立したゲーム装置のための専用のジョイスティック又はコントローラとして機能することもできる。
【００３１】
或いは、図４Ｂに示すように、電子装置１００’の第３の側面３１０に第３のインタフェース３４０を設けてもよい。第３のインタフェース３４０は、ゲームモードのための第３のゲームインタフェースであってもよい（図３Ａ）。或いは、第３のインタフェース３４０は、ＰＤＡのための第３のキーボードであってもよい（図３Ｂ）。或いは、第３のインタフェース３４０は、音楽再生インタフェースであってもよい。第３のインタフェース３４０の様々な選択肢によって、電子装置１００’の機能が更に向上する。更に、図４Ｂに示すように、コネクタ３２０は、略平面の第１のパネル１３０’の第３の側面３１０に配設され、娯楽装置、他のゲーム機器、スピーカ、携帯電話機、携帯電話用ヘッドセット、デジタルカメラ、携帯情報端末、ジョイスティック、コンピュータ等の周辺機器を電子装置１００’に接続するためのコネクタ３２０を備えていてもよい。このようなコネクタ３２０により、電子装置１００’の機能性が更に高まる。なお、図４Ｂに示す実施の形態は、図４Ａのスロット３１５、アダプタジャック３３０及びバッテリパネル３２５を備えていてもよい。
【００３２】
本発明の構成及び動作原理を明瞭に説明するために、様々な詳細を含む特定の実施の形態を用いて本発明を説明した。このような特定の実施の形態の説明及びその詳細は、特許請求の範囲を限定するものではない。本発明の主旨及び範囲から逸脱することなく、例示的に選択された実施の形態を変更できることは、当業者にとって明らかである。
【図面の簡単な説明】
【００３３】
【図１Ａ】第１の状態に構成された電子装置の様々なパネル上の音楽再生インタフェースを示す、本発明に基づく電子装置の斜視図である。
【図１Ｂ】第１の状態に構成された電子装置の様々なパネル上の音楽再生インタフェースを示す、本発明に基づく電子装置の斜視図である。
【図１Ｃ】第１の状態に構成された電子装置の様々なパネル上の音楽再生インタフェースを示す、本発明に基づく電子装置の斜視図である。
【図２Ａ】図１Ａに示す電子装置の第２の形態の側面図である。
【図２Ｂ】図１Ａに示す電子装置の第２の形態の平面図である。
【図３Ａ】様々な周辺機器に接続された図１Ａに示す電子装置の第２の状態を示す図である。
【図３Ｂ】様々な周辺機器に接続された図１Ａに示す電子装置の第２の状態を示す図である。
【図４Ａ】電子装置の第３の側面にコネクタが設けられた、図１Ａに示す電子装置の第２の形態の側面図である。
【図４Ｂ】電子装置の第３の側面に第３のインタフェースが設けられた、図１Ａに示す電子装置の第２の形態の側面図である。
【図１Ａ】
0004988561.tif 000002
【図１Ｂ】
0004988561.tif 000003
【図１Ｃ】
0004988561.tif 000004
【図２Ａ】
0004988561.tif 000005
【図２Ｂ】
0004988561.tif 000006
【図３Ａ】
0004988561.tif 000007
【図３Ｂ】
0004988561.tif 000008
【図４Ａ】
0004988561.tif 000009
【図４Ｂ】
0004988561.tif 000010